(57)【要約】【課題】フィルムを引き出しやすく、また、原反ロールを保持しやすくする。【解決手段】筒状の巻芯１０にフィルムＦを巻き取った原反ロールＲの前記巻芯１０内に、筒軸方向に伸縮可能に配置したスライドレール３を介して筒軸方向に同心に接続された対の保持部材２，２を挿入する。両保持部材２，２は、それぞれ巻芯１０の内周にぴったりと嵌ってその巻芯１０を回転可能に保持し、そのスライドレール３が伸縮することにより、前記両保持部材２，２同士の軸方向の間隔が調整可能であるので、その調整により、各保持部材２，２を、それぞれ前記巻芯１０の両端部に位置させて手で掴むことができるようにすれば、巻芯１０の回転により手を傷めず、またスムースな巻芯１０の回転を維持してフィルムＦが引き出しやすくなる。【選択図】図３
0003105713.tif 000002
【実用新案登録請求の範囲】
【請求項１】
筒状の巻芯１０にフィルムＦを巻き取った原反ロールＲの前記巻芯１０内に、その巻芯１０の内周に接する筒状の保持部材２を挿入し、その保持部材２を手で掴むことにより、前記原反ロールＲを筒軸周りに回転可能に保持するロール保持具１であって、前記保持部材２は、前記巻芯１０の両端部にそれぞれ位置して、その両保持部材２，２は、手で掴むことができるとともにその巻芯１０内周にぴったりと嵌ることを特徴とするロール保持具。
【請求項２】
前記保持部材２，２は、その筒軸方向に伸縮可能に配置したスライドレール３を介して筒軸方向に同心に接続されて、そのスライドレール３が伸縮することにより、前記両保持部材２，２同士の軸方向の間隔が調整可能となっていることを特徴とする請求項１に記載のロール保持具。
【請求項３】
前記両保持部材２，２のうち一の保持部材２に、その一の保持部材２の筒軸方向外側端６より外側へ向かって伸びる操作棒４を取り付け、前記両保持部材２，２が前記巻芯１０内に挿入された状態において、他の保持部材２を手で掴みながらその操作棒４を筒軸方向に進退させることにより、両保持部材２，２同士の前記間隔を調整可能としたことを特徴とする請求項２に記載のロール保持具。
【請求項４】
前記両保持部材２，２のうち一の保持部材２に、その一の保持部材２の筒軸方向内側端７よりも内側へ向かって伸びる操作棒５を取り付け、その操作棒５は、他の保持部材２の筒軸方向外側端６へと至り、両保持部材２，２が前記巻芯１０内に挿入された状態において、他の保持部材２を手で掴みながらその操作棒５を筒軸方向に進退させることにより、両保持部材２，２同士の前記間隔を調整可能としたことを特徴とする請求項２に記載のロール保持具。
【請求項５】
前記両保持部材２，２のそれぞれ筒軸方向外側端６，６において、その保持部材２の径方向外側に向かって突出する鍔部９，９を設け、その両鍔部９，９の対向する内側面９ａ，９ａが前記巻芯１０の端縁１０ａに接するとともに、その両鍔部９，９の両方又は一方は前記保持部材２に脱着可能であることを特徴とする請求項２に記載のロール保持具。
【考案の詳細な説明】
【技術分野】
【０００１】
この考案は、フィルムを巻き取った原反ロールからそのフィルムを引き出して使用する際に、そのロールの巻芯を保持するために使用するロール保持具に関するものである。
【背景技術】
【０００２】
従来、巻芯に帯状フィルムを巻き取った原反ロールから、そのフィルムを必要長さだけ引き出して使用する際には、例えば、図６に示すように、保持者が、原反ロールの巻芯の内側に手を差し入れてその巻芯を保持するとともに、他の者が、図中の矢印Ａのようにフィルムを引き出して適宜の長さ引き出した後、その引き出したフィルムを切断して使用するのが一般的である。このとき、そのフィルムの引き出しとともに、原反ロール及び巻芯は図中の矢印Ｂのように回転するので、保持者が巻芯に差し入れた手は、その回転を阻害しないように巻芯内周面に摺動させながら保持することになる。
【０００３】
また、自動包装機等においてこの原反ロールを保持する際には、その原反ロールを回転自在の装填筒へ嵌め込んで、その装填筒とともにロールが軸周りに回転するようにして使用するのが一般的であるが、その装填筒への原反ロールの着脱を短時間で可能とした技術が開示されている（特許文献１、特許文献２参照）。
【特許文献１】特開平９−２４９２０５号公報
【特許文献２】特公平７−８１５８１号公報
【考案の開示】
【考案が解決しようとする課題】
【０００４】
しかし、例えば、梱包作業や運搬、建設作業等の現場では、大きさ、形状の異なる種々の物品、資材を包装等しなければならず、また、それらの作業場所が適宜移動して一定しないため、前記自動包装機のような大がかりな装置を必ずしも使用することができない。このため、物品、資材の包装等を行うために、手作業で原反ロールからフィルムを引き出して使用する機会は、依然として多いのが実態である。
【０００５】
この手作業の折、フィルムを引き出すために回転する原反ロールを手で保持するので、その原反ロールの巻芯を支える手が巻芯内周面に擦れて手を傷める可能性があり好ましくない。また、巻芯を手で直接支えると、その巻芯と手との摩擦が大きいので回転を阻害し、さらに、巻芯の回転軸が一定しないのでスムースに回転させることができない。このため、フィルムがうまく引き出されないという問題もある。
【０００６】
そこで、この考案は、フィルムがスムースに引き出しやすく、また、原反ロールを保持しやすいようにすることを課題とする。
【課題を解決するための手段】
【０００７】
上記の課題を解決するために、この考案は、原反ロールの巻芯内にぴったりと嵌る保持具を両側から挿入して、その保持具を手で掴むことによりその巻芯を保持具に対して軸周りに回転可能に支持したのである。このようにすれば、原反ロールは、保持具の筒軸心周りに軸がぶれないで回転するので、回転軸が一定しスムースなフィルムの引き出しが可能となる。
【０００８】
また、原反ロールの巻芯の回転によって保持具は回転しないので、その保持具を手で掴んで保持しておけば、フィルムの引き出しに伴う巻芯の回転によって手が擦れて傷むことがない。また、手は巻芯には触れないので、その巻芯に対して回転を阻害する摩擦を与えない。
【０００９】
具体的な構成は、筒状の巻芯にフィルムを巻き取った原反ロールの前記巻芯内に、その巻芯の内周に接する筒状の対の保持部材を挿入し、その両保持部材を手で掴むことにより、前記原反ロールを筒軸周りに回転可能に保持するロール保持具であって、前記保持部材は、前記巻芯の両端部にそれぞれ位置して、その両保持部材は、手で掴むことができるとともにその巻芯内周にぴったりと嵌るようにしたのである。
【００１０】
このようにすれば、保持部材を構成する筒状の部材外周面と巻芯内周面とがその周面でもって接するので、その接した部分の摩擦が少なく、また、巻芯の回転軸を一定にさせて原反ロールをスムースに回転させることができる。
【００１１】
また、前記保持部材は、その筒軸方向に伸縮可能に配置したスライドレールを介して筒軸方向に同心に接続されて、そのスライドレールが伸縮することにより、前記両保持部材同士の軸方向の間隔が調整可能となっているようにした構成を採用し得る。このようにすれば、巻芯の長さに合わせて両保持部材からなるロール保持具の全長を伸縮させることができるので、いかなる長さの巻芯であっても、そのロール保持具が伸縮し得る範囲の長さである限りにおいて、その巻芯の両端部に保持部材を位置させて掴みやすいようにし得る。また、保持部材が筒状の部材で構成されるので、その筒の中空部を利用して、保持部材を伸縮可能とするスライドレールを配置しやすい。
【００１２】
また、前記両保持部材のうち一の保持部材に、その一の保持部材の筒軸方向外側端より外側へ向かって伸びる操作棒を取り付け、前記両保持部材が前記巻芯内に挿入された状態において、他の保持部材を手で掴みながらその操作棒を筒軸方向に進退させることにより、両保持部材同士の前記間隔を調整可能とした構成を採用し得る。
【００１３】
前記両保持部材からなるロール保持具を巻芯内に挿入する際に、そのうち一の保持部材を先に巻芯の一端から他端へ向かって挿入すると、その一の保持部材は、他端へ向かって送り出されるとともに、その保持部材端面又は外面が巻芯内周面に擦れることにより、両保持部材同士の間隔が筒軸方向内側へ縮んで（近づいて）、そのロール保持具の全長が巻芯の筒軸方向長さよりも短くなってしまう場合がある。ロール保持具の全長が巻芯の筒軸方向長さよりも短くなると、その一の保持部材の外側端が巻芯の他端に至らないので、その他端側の保持部材を掴むことができず巻芯を保持できなくなる。このとき、その一の保持部材は、まだ巻芯の他端へ到達していないが、操作棒は他端側へ突出して設けられているので、その操作棒を他端側へ向かって引張れば、一の保持部材が巻芯内を容易に移動して他端にまで引き出すことができる。この引き出しの際に、他の保持部材は、前記操作棒による引き出しに追随して移動しないように、手などで掴んで巻芯に対して不動になるよう保持しておけばよい。
【００１４】
また、前記両保持部材のうち一の保持部材に、その一の保持部材の筒軸方向内側端よりも内側へ向かって伸びる操作棒を取り付け、その操作棒は、他の保持部材の筒軸方向外側端へと至り、両保持部材が前記巻芯内に挿入された状態において、他の保持部材を手で掴みながらその操作棒を筒軸方向に進退させることにより、両保持部材同士の前記間隔を調整可能とした構成を採用し得る。
【００１５】
このようにすれば、前記両保持部材からなるロール保持具を巻芯内に挿入する際に、そのうち一の保持部材を先に巻芯の一端から他端へ向かって挿入すると、その先の挿入した一の保持部材が、まだ巻芯の他端へ到達していない時点において、その操作棒を他端側へ向かって押し込めば、一の保持部材が巻芯内を容易に移動して他端にまで押し出すことができる。この押し出しの際に、他の保持部材は、前記操作棒による押し出しに追随して移動しないように、手などで掴んで巻芯に対して不動になるよう保持しておけばよい。
【００１６】
また、前記保持部材のそれぞれ筒軸方向外側端において、その保持部材の径方向外側に向かって突出する鍔部を設け、その両鍔部の対向する内側面が前記巻芯の端縁に接するとともに、その両鍔部の両方又は一方は前記保持部材に脱着可能とした構成を採用し得る。このようにすれば、保持部材を掴む手が巻芯の端縁に触れにくくなるので、さらに確実にその巻芯の回転から手を保護することができる。なお、その両鍔部のうち一方、あるいはその両方は、前記保持部材に脱着可能であるので、その保持部材を巻芯内に挿入する際にその巻芯内径より径の大きい部分を外しておけば、巻芯内への保持部材挿入に支障しない。
【００１７】
なお、前記両保持部材は、巻芯の両端部に位置させて、その各保持部材を巻芯内周にぴったりと嵌るようにしたが、その保持部材の外径と巻芯の内径とは、相互にぴったりと嵌る限りにおいて、適度な隙間を確保し得る寸法であることが望ましい。保持部材と巻芯との間に過度な摩擦抵抗を生じさせることなく、スムースに回転させるためである。
【考案の効果】
【００１８】
この考案は、以上のようにしたので、フィルムがスムースに引き出しやすく、また、原反ロールを保持しやすい。
【考案を実施するための最良の形態】
【００１９】
一実施形態を図１乃至図３に示す。この実施形態のロール保持具は、図３に示すように、巻芯１０に帯状フィルムＦを巻き取った原反ロールＲから、そのフィルムＦを必要長さだけ引き出して使用する際に、その原反ロールＲを持つ保持者が、原反ロールＲの巻芯１０を保持するために使用するロール保持具１である。
【００２０】
図１に示すように、ロール保持具１は、左右二つの筒状の保持部材２，２を有し、その両保持部材２，２は同軸心に配置されて、その内周面にそれぞれ筒軸方向にそって取り付けたスライドレール３を介して、筒軸方向に並列して接続されている。スライドレール３は、図２に示すように、大小２本のレール３ａ，３ｂからなり、断面の大きなレール３ａの内側に断面の小さなレール３ｂが嵌ってその長さ方向にスライド可能になっている。このため、そのレールの長さ方向に沿って一方を引き出して分離しない限り、両レールは外れないようになっている。その筒軸方向に伸縮可能に配置したスライドレール３を介して、前記両保持部材２，２が筒軸方向に同心に接続されて、そのスライドレール３が伸縮することにより、前記両保持部材２，２同士の筒軸方向の間隔が調整可能となっている。
【００２１】
原反ロールＲの前記巻芯１０内にこのロール保持具１を挿入し、図３に示すように、その左右両保持部材２，２をそれぞれ手で掴むことにより、前記原反ロールＲを筒軸周りに回転可能に保持する。前記両保持部材２，２は、この巻芯１０の内周に接し、ぴったりと嵌る外径となる外周面を有しており、巻芯１０の内周と保持部材２の外周とが摺動することにより、巻芯１０は保持部材２に対してスムースに回転可能になっている。このスムースな回転を可能とするために必要とされる、保持部材２，２の外周と巻芯１０の内周との隙間は、その保持部材２や巻芯１０の材質、寸法、重量等の条件により適宜決定されるが、両者が相互にぴったりと嵌る限りにおいて、概ね１ｍｍから２ｍｍの隙間を確保すれば、巻芯１０の回転軸がぶれることなく、また、過度な摩擦抵抗がなくスムースに回転し得ることがわかっている。
【００２２】
また、前記両保持部材２，２は、スライドレール３を介して筒軸方向に伸縮可能に接続されているので、任意の長さの巻芯１０に対して、そのロール保持具１の全長を伸縮させることにより、常に、その両保持部材２，２を、前記巻芯１０の両端部にそれぞれ位置させることができる。両保持部材２，２を、巻芯１０の両端部においてともに手で掴むことができるようにするためである。
【００２３】
このロール保持具１には、図１に示すように、操作棒４，５を取り付けている。なお、図３ではその図示を省略している。
【００２４】
まず、操作棒４は、図１の右側に示す保持部材２に、図中の右側に向かって、すなわち、その右側の保持部材２の筒軸方向外側端６より外側へ向かって伸びる操作棒４を取り付け、前記左右両保持部材２，２が前記巻芯１０内に挿入された状態において、図中左側に位置する保持部材２を手で掴みながら、その操作棒４を筒軸方向に矢印ｃのごとく進退させることにより、前記右側の保持部材２の位置を巻芯１０内で矢印Ｃのごとく移動させ、左右両保持部材２，２同士の間隔及び位置を調整可能とするものである。
【００２５】
また、操作棒５は、同じく図１の左側に示す保持部材２に、図中の右側に向かって、すなわち、その左側の保持部材２の筒軸方向内側端７よりも内側へ向かって伸びる操作棒５を取り付け、その操作棒５は、図中右側に位置する保持部材２の筒軸方向外側端６へと至り、さらにその外側へと突出して設けられている。前記左右両保持部材２，２が前記巻芯１０内に挿入された状態において、図中右側の保持部材２を手で掴みながら、その操作棒５を筒軸方向に矢印ｄのごとく進退させることにより、前記左側の保持部材２の位置を巻芯１０内で矢印Ｄのごとく移動させ、左右両保持部材２，２同士の間隔及び位置を調整可能とするものである。
【００２６】
この操作棒４，５の双方又は、いずれか一方を適宜、筒軸方向へ進退させるように操作して、前記両保持部材２，２を、その巻芯１０内で筒軸方向に移動させ、それぞれその巻芯１０の両端部付近に配置すれば、両手でもって各保持部材２を掴むことができる。
【００２７】
各保持部材２，２を保持する際には、両手のそれぞれ親指を除く４本の指を保持部材２の内側に挿入して保持し、親指は、巻芯１０又はその巻芯１０の外周に巻かれたフィルムＦの外周を押さえるように保持すると、便利である。すなわち、フィルムＦの引きによりロールＲが回転している際には、親指をそのロールＲの巻芯１０又はフィルムＦから離しておき、フィルムＦを必要長さ引き出した後、ロールＲの回転を止めたい場合には、その親指でロールＲを押さえて回転を止めればよい。
【００２８】
このとき、前記操作棒４，５は、前記両保持部材２，２を、前述のように手で保持するために支障しない部分に取り付けてあることが望ましい。手で保持することに支障しなければ、例えば、図１に示すように、その操作棒４，５の各内側端が保持部材２の内周に接着剤又はビス止め等により固定されて、その各外側端を屈曲させて、筒軸中心に向く側に突出するようにしてもよい。また、操作棒４，５は、必要に応じてその一方、あるいは両方を省略してもよく、また、操作棒４を両保持部材２に取り付けた態様を選択することも自由である。
【００２９】
なお、この操作棒４は、前記スライドレール３をその操作棒４の突出方向と同方向に延長することにより、そのスライドレール３を、操作棒４と兼用する形で構成してもよい。ちなみに、この実施形態では、スライドレール３は、前述のように、断面の大きなレール３ａの内側に断面の小さなレール３ｂが嵌って構成されているが、例えば、その一方、図１に示す右側の保持部材２に取り付けたレール３ｂを、図中右側外側に向かって延長すればよい。
【００３０】
また、そのスライドレール３は、図４に示すような、周知のダブルスライドレールを採用してもよい。この構成によれば、スライドレールの伸縮の範囲が広がるので便利である。いずれのスライドレールの態様においても、その保持部材２内周とスライドレール３との固定は、そのスライドレール３の動作に支障しない範囲において、両者を接着剤又はビス止め等により固定すれば足りる。
【００３１】
さらに、図５に示すように、前記両保持部材２，２のそれぞれ筒軸方向外側端６，６において、鍔部９，９を設けてもよい。鍔部９を設けることにより、保持部材２を掴む手が巻芯１０の端面１０ａに触れにくくなるので、さらに安全である。その鍔部９は、保持部材２の筒軸方向外側端６において、その径方向外側に向かって突出する環状で連続的な、又は環状で断続的な鍔部９であって、その鍔部９の筒軸方向内側面９ａが前記巻芯１０の端縁１０ａに接するか、あるいは適度な隙間を有していればよい。また、この態様のロール保持具１を巻芯１０に挿入する際には、その両鍔部９，９の両方又は一方は前記保持部材２に脱着可能として、鍔部９を取り外した側の保持部材２を先に巻芯１０内に挿入するようにすればよい。図５は、その鍔部９を保持部材２に脱着可能とした態様の例である。
【図面の簡単な説明】
【００３２】
【図１】一実施形態のロール保持具を示す全体図
【図２】同実施形態のスライドレールの詳細図
【図３】同実施形態の使用状態を示す斜視図
【図４】他の実施形態を示す斜視図
【図５】他の実施形態を示す斜視図
【図６】従来例の使用状態を示す説明図
【符号の説明】
【００３３】
１  ロール保持具
２  保持部材
３  スライドレール
４，５  操作棒
６  外側端
７  内側端
９  鍔部
１０  巻芯
１０ａ  端縁
１１  テーパ部
Ｆ  フィルム
Ｒ  原反ロール
【図１】
0003105713.tif 000003
【図２】
0003105713.tif 000004
【図３】
0003105713.tif 000005
【図４】
0003105713.tif 000006
【図５】
0003105713.tif 000007
【図６】
0003105713.tif 000008